(57)【要約】【課題】ガスメーター本体の小型化を図ることができるとともに、光源の光量を落とすことなく表示できるマイコンガスメーターの遮断弁開弁スイッチ構造を提供する。【解決手段】ガスメーター本体１の内部に設けられ双方向遮断弁が閉弁したとき点灯または点滅する光源としてのＬＥＤランプ１３と、ガスメーター本体１の内部で、ＬＥＤランプ１３と隣接して設けられスイッチオンによって双方向遮断弁を開弁可能な復帰スイッチ１６と、ガスメーター本体１にＬＥＤランプ１３と対向し、かつ該ＬＥＤランプ１３に対して進退自在に設けられ、ＬＥＤランプ１３の点灯、点滅光を外部に透光可能な透光性を有する押しボタンキー２４と、押しボタンキー２４に設けられ、該押しボタンキー２４の押込み時に復帰スイッチ１６をスイッチオン可能なスイッチ操作部２７とを具備したことを特徴とする。【選択図】図１
2007183180.tif 000002
【特許請求の範囲】
【請求項１】
ガスメーター本体の内部にガス流入口に連通する一次側流通路と計量室に連通する二次側流通路とを区画する仕切り壁を設けるとともに、この仕切り壁に一次側流通路と二次側流通路とを連通する連通口を設ける一方、電気信号により前記連通口を開閉する双方向遮断弁を設けたマイコンガスメーターの遮断弁開弁スイッチ構造において、
前記ガスメーター本体の内部に設けられ前記双方向遮断弁が閉弁したとき点灯または点滅する光源と、
前記ガスメーター本体の内部で、前記光源と隣接して設けられスイッチオンによって前記双方向遮断弁を開弁可能な復帰スイッチと、
前記ガスメーター本体に前記光源と対向し、かつ該光源に対して進退自在に設けられ、光源の点灯、点滅光を外部に透光可能な透光性を有する押しボタンキーと、
前記押しボタンキーに設けられ、該押しボタンキーの押込み時に前記復帰スイッチをスイッチオン可能なスイッチ操作部と、
を具備したことを特徴とするマイコンガスメーターの遮断弁開弁スイッチ構造。
【請求項２】
前記スイッチ操作部は、前記押しボタンキーと一体に成形された成形品であることを特徴とする請求項１記載のマイコンガスメーターの遮断弁開弁スイッチ構造。
【請求項３】
前記押しボタンキーは、前記光源に対して進退自在にガイドするガイド部材に支持され、該ガイド部材には前記押しボタンキーの押込み量を規制するストッパを有していることを特徴とする請求項１記載のマイコンガスメーターの遮断弁開弁スイッチ構造。
【発明の詳細な説明】
【技術分野】
【０００１】
この発明は、ガスの異常使用時、地震発生時あるいはガス圧力低下時、その他の緊急時にガスの流通を遮断する双方向遮断弁を備えたマイコンガスメーターの遮断弁開弁スイッチ構造に関する。
【背景技術】
【０００２】
ガスメーター本体の内部に遮断弁、地震を感知する感震器及びガス圧力低下を感知する圧力センサ及び制御回路を内蔵し、ガスの異常使用時、地震時あるいはガス圧力低下時等の緊急時に遮断弁としての双方向遮断弁を作動させてガスの流通を遮断するようにしたマイコンガスメーターが知られている。
【０００３】
マイコンガスメーターは、その本体内に機器収納室が設けられ、この機器収納室に感震器、プリント基板及び圧力センサ、電池が収納されている。さらに、ガス連通口には双方向遮断弁が設けられ、緊急時にガス連通口を遮断するようになっている（例えば、特許文献１参照。）。
【０００４】
このマイコンガスメーターは、ガスメーター本体の前面にコントローラケースが設けられ、コントローラケースの内部のプリント基板に表示ランプ及び復帰スイッチからなる遮断弁開弁スイッチ機構が設けられている。そして、緊急時にガスメーター本体の内部の双方向遮断弁が閉弁してガス流通口を遮断すると、表示ランプが点滅して双方向遮断弁が遮断されたことを報知するようになっている。また、復帰スイッチをオンすると、電気的に双方向遮断弁を開弁できるようになっており、双方向遮断弁が開弁すると、表示ランプが消灯するようになっている。
【０００５】
前記遮断弁開弁スイッチ機構は、ガスメーター本体の内部に双方向遮断弁が閉弁したとき点灯または点滅する表示ランプと、スイッチオンによって双方向遮断弁を開弁可能な復帰スイッチが設けられている。さらに、ガスメーター本体には表示ランプの点灯、点滅光を外部に透光可能な押しボタンキーを有する押しボタン部が設けられている。この押しボタン部を押し込むと、復帰スイッチがスイッチオンして双方向遮断弁が電気的に開弁し、光源が消灯すると同時にガスの使用を再開することができる。
【特許文献１】特開２０００−２９２２３７号公報
【発明の開示】
【発明が解決しようとする課題】
【０００６】
前述した特許文献１によれば、プリント基板に設けられた復帰スイッチと、コントローラケースの前面に設けられ、前記復帰スイッチをオン・オフする押しボタンキーを有する押しボタン部とが同一軸上に位置し、押しボタンキーの隣側に表示ランプが設置されている。従って、プリント基板とコントローラケースとの間隔が広くなり、ガスメーター本体が大型化するという問題がある。また、押しボタンキーは透光可能な光伝送部材からなり、表示ランプと対向する位置に表示ランプからの光を入射した後、反射させて押しボタン部に透光するようになっている。つまり、表示ランプからの光を反射させた後、光伝送部材を透光させているため、光量が落ちるという問題がある。
この発明は、前記事情に着目してなされたもので、その目的とするところは、ガスメーター本体の小型化を図ることができるとともに、光源の光量を落とすことなく表示できるマイコンガスメーターの遮断弁開弁スイッチ構造を提供することにある。
【課題を解決するための手段】
【０００７】
この発明は、前述した目的を達成するために、請求項１は、ガスメーター本体の内部にガス流入口に連通する一次側流通路と計量室に連通する二次側流通路とを区画する仕切り壁を設けるとともに、この仕切り壁に一次側流通路と二次側流通路とを連通する連通口を設ける一方、電気信号により前記連通口を開閉する双方向遮断弁を設けたマイコンガスメーターの遮断弁開弁スイッチ構造において、前記ガスメーター本体の内部に設けられ前記双方向遮断弁が閉弁したとき点灯または点滅する光源と、前記ガスメーター本体の内部で、前記光源と隣接して設けられスイッチオンによって前記双方向遮断弁を開弁可能な復帰スイッチと、前記ガスメーター本体に前記光源と対向し、かつ該光源に対して進退自在に設けられ、光源の点灯、点滅光を外部に透光可能な透光性を有する押しボタンキーと、前記押しボタンキーに設けられ、該押しボタンキーの押込み時に前記復帰スイッチをスイッチオン可能なスイッチ操作部とを具備したことを特徴とする。
【０００８】
請求項２は、請求項１の前記スイッチ操作部は、前記押しボタンキーと一体に成形された成形品であることを特徴とする。
【０００９】
請求項３は、請求項１の前記押しボタンキーは、前記光源に対して進退自在にガイドするガイド部材に支持され、該ガイド部材には前記押しボタンキーの押込み量を規制するストッパを有していることを特徴とする。
【発明の効果】
【００１０】
この発明によれば、ガスメーター本体の小型化を図ることができるとともに、光源の光量を落とすことなく表示できるという効果がある。
【発明を実施するための最良の形態】
【００１１】
以下、この発明の実施の形態を図面に基づいて説明する。
【００１２】
図２は、マイコンガスメーターを示し、ガスメーター本体１の上部にはガス流入口２及びガス流出口３が設けられている。ガスメーター本体１の前面上部にはガス流量をデジタル表示するカウンタ部４が設けられ、前面下部にはコントローラケース５が設けられている。
【００１３】
コントローラケース５にはセキュリティ表示部６が設けられ、このセキュリティ表示部６の近傍には遮断弁開弁スイッチ機構の押しボタン部７が設けられている。コントローラケース５の内部には図１に示すように、プリント基板１１が設けられている。このプリント基板１１にはガスメーター本体１の双方向遮断弁（図示しない）を電気的に開弁する復帰スイッチ１６と閉弁時に点滅する光源としてのＬＥＤランプ１３が固定されている。
【００１４】
ＬＥＤランプ１３はプリント基板１１に設けられたソケット１４に対してランプ端子１５を挿入することにより取り付けられ、ランプ本体１３ａは押しボタン部７を有するコントローラケース５方向に向って突出している。さらに、ＬＥＤランプ１３の隣側に位置するプリント基板１１には遮断弁開弁スイッチ機構の復帰スイッチ１６が設けられ、この復帰スイッチ１６の被操作部１６ａはランプ本体１３ａと同様にコントローラケース５方向に向って突出している。
【００１５】
前記押しボタン部７を有するコントローラケース５には貫通孔１７が設けられている。コントローラケース５の内側には貫通孔１７を取り囲むように凹陥部からなる取付け座１８が設けられ、この取付け座１８にはガイド部材１９が嵌合された状態で複数本のビス２０によってコントローラケース５に固定されている。
【００１６】
ガイド部材１９は、図３に示すように、中央部に円筒状のガイド筒２１が設けられている。このガイド筒２１の周壁にはプリント基板１１方向に突出する複数個のストッパ２２が設けられていると共に復帰スイッチ１６の被操作部１６ａに向って開口する切欠部２３とが対称的に設けられている。ガイド筒２１には押しボタンキー２４の軸部２５が軸方向に進退自在に挿入されており、この軸部２５の先端部には前記押しボタン部７が設けられている。
【００１７】
押しボタンキー２４は、図４に示すように、透明もしくは透光性を有するアクリル、ポリカーボネート等の合成樹脂材料あるいはガラス等の光伝送部材によって形成されている。押しボタンキー２４の軸部２５の基端部には嵌合凹部２６が設けられ、この嵌合凹部２６の内部にＬＥＤランプ１３のランプ本体１３ａが収容されている。
【００１８】
さらに、押しボタンキー２４の軸部２５にはガイド部材１９の切欠部２３を貫通してガイド筒２１の外部に突出するアーム状のスイッチ操作部２７が一体に設けられている。すなわち、押しボタンキー２４とスイッチ操作部２７とは一体に成形された成形品であり、このスイッチ操作部２７は復帰スイッチ１６の被操作部１６ａの端面に対向している。
また、押しボタンキー２４の軸部２５には２本の環状溝２８ａ，２８ｂが設けられている。これら環状溝２８ａ，２８ｂにはゴム等の二枚のパッキン２９ａ，２９ｂの孔が嵌合されている。これらパッキン２９ａ，２９ｂは筒部を有しており、この筒部の外周縁部はコントローラケース５の貫通孔１７の内周溝３０に嵌合固定されている。パッキン２９ａ，２９ｂは弾性を有しており、押しボタンキー２４を後退、つまりスイッチオフ状態に付勢している。従って、貫通孔１７はパッキン２９ａ，２９ｂによって防塵・防水に保たれている。
【００１９】
コントローラケース５の前面には押しボタン部７を手指によって押し込む際に手指の逃げ部を形成するテーパ凹部３０ａが形成されている。従って、押しボタン部７はテーパ凹部３０ａの中央部に位置し、その周囲には押しボタン部７の前面と同一もしくは押しボタン部７の前面より僅かに突出する突堤３１が形成され、不用意に押しボタン部７が押圧されないようになっている。
【００２０】
このように構成された遮断弁開弁スイッチ構造によれば、例えば、ガスの異常使用時、地震時あるいはガス圧力低下時等の緊急時にマイコンガスメーターに内蔵された双方向遮断弁が作動してガスの流通を遮断したとき、ＬＥＤランプ１３が点滅する。この点滅光は透明もしくは透光性の押しボタンキー２４の軸部２５を透過して押しボタン部７に導かれるため、押しボタン部７が点滅して双方向遮断弁が遮断されたことと開弁スイッチの位置を同時に消費者に報知することができる。
【００２１】
消費者が遮断事象を確認した後、ガスの使用を再開する際には、点滅している押しボタン部７を手指によって押圧すると、押しボタン部７はパッキン２９ａ，２９ｂの弾性力に抗して押しボタンキー２４が押し込まれる。そして、押しボタンキー２４と一体のスイッチ操作部２７が復帰スイッチ１６の被操作部１６ａが押圧されて復帰スイッチ１６がスイッチオンとなる。復帰スイッチ１６のスイッチオンによって双方向遮断弁が電気的に開弁され、ガスの使用を再開することができる。
【００２２】
このように開弁スイッチが自ら点滅することにより、夜間等においても開弁スイッチの位置を容易に確認でき、消費者が迷うことなく開弁スイッチを操作でき、従来のようなガス事業者の出動も必要なくなる。
【００２３】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００２４】
【図１】この発明の第１の実施形態を示し、スイッチオフ状態の縦断側面図。
【図２】同実施形態を示し、マイコンガスメーターの正面図。
【図３】同実施形態のガイド部材を示し、（ａ）は正面図、（ｂ）は縦断側面図。
【図４】同実施形態の押しボタンキーを示し、（ａ）は正面図、（ｂ）はＡ−Ａ線に沿う断面図、（ｃ）は矢印Ｂ方向から見た側面図。
【符号の説明】
【００２５】
１…ガスメーター本体、７…押しボタン部、１３…ＬＥＤランプ、１６…復帰スイッチ、２４…押しボタンキー、２７…スイッチ操作部
【図１】
2007183180.tif 000003
【図２】
2007183180.tif 000004
【図３】
2007183180.tif 000005
【図４】
2007183180.tif 000006